(57)【要約】【課題】ユーザが所期する描画内容に対する描画精度を、容易に確保することができる自動走行筆記装置を提供する。【解決手段】本発明に係る自動走行筆記装置は、横方向に互いに間隔をあけて配置され、筆記面上をそれぞれが自律して回転する一対の駆動輪を有し、筆記面上を前後左右に自律走行可能とされた車体と、一対の駆動輪の回転を個別に制御する制御部と、車体に設けられ、筆記用具の筆記部が筆記面と接触するように、筆記用具を支持する支持部と、を備え、一対の駆動輪それぞれの車軸は、互いに同軸となるように配置され、支持部は、筆記部および車軸それぞれの前後方向の位置が一致するとともに、筆記部が一対の駆動輪の間の中央部に位置するように、筆記用具を支持する。【選択図】図１
2020110938.tif 000002
【特許請求の範囲】
【請求項１】
横方向に互いに間隔をあけて配置され、筆記面上をそれぞれが自律して回転する一対の駆動輪を有し、前記筆記面上を前後左右に自律走行可能とされた車体と、
前記一対の駆動輪の回転を個別に制御する制御部と、
前記車体に設けられ、筆記用具の筆記部が前記筆記面と接触するように、前記筆記用具を支持する支持部と、を備え、
前記一対の駆動輪それぞれの車軸は、互いに同軸となるように配置され、
前記支持部は、前記筆記部および前記車軸それぞれの前後方向の位置が一致するとともに、前記筆記部が前記一対の駆動輪の間の中央部に位置するように、前記筆記用具を支持する自動走行筆記装置。
【請求項２】
前記支持部は、前記筆記用具における前記筆記部側の一端部を支持する第１支持部と、前記筆記用具における前記一端部と反対側の他端部が挿入される第２支持部と、を備え、
前記車体には、前記第１支持部を前記筆記面に対して近接および離間させる支持用モータが設けられ、
前記制御部は、前記支持用モータを制御することを特徴とする請求項１に記載の自動走行筆記装置
【請求項３】
前記車体に設けられ、前記一対の駆動輪それぞれを回転駆動する一対の走行用モータと、
一対の駆動輪それぞれの車軸と同軸に配置され、かつ前記一対の走行用モータと連結された一対の連結ギアと、を備え、
前記一対の走行用モータは、横方向から見た側面視で、互いに重ならない位置に配置されていることを特徴とする請求項１又は２に記載の自動走行筆記装置。
【請求項４】
前記車体のうち、上面視で前記支持部を横方向に挟む位置には、バッテリが搭載されるバッテリ搭載部が一対設けられていることを特徴とする請求項１から３のいずれか１項に記載の自動走行筆記装置。
【請求項５】
前記車体は、前記一対の駆動輪と前後方向に間隔をあけて配置されるとともに、前記車体の走行に従って、前記筆記面上を回転する従動輪を備えていることを特徴とする請求項１から４のいずれか１項に記載の自動走行筆記装置。
【請求項６】
前記従動輪は、単一のボールキャスターであることを特徴とする請求項５に記載の自動走行筆記装置。
【請求項７】
横方向に互いに間隔をあけて配置され、筆記面上をそれぞれが自律して回転する一対の駆動輪を有し、前記筆記面上を前後左右に自律走行可能とされた車体と、
前記一対の駆動輪の回転を個別に制御する制御部と、
前記車体に設けられ、筆記用具の筆記部が前記筆記面と接触するように、前記筆記用具を支持する支持部と、を備え、
前記一対の駆動輪それぞれの車軸は、互いに同軸となるように配置され、
前記支持部は、前記筆記部および前記車軸それぞれの前後方向の位置が一致するとともに、前記筆記部が前記一対の駆動輪の間の中央部に位置するように、前記筆記用具を支持する自動走行筆記装置を走行させながら筆記させる自動走行筆記方法であって、
前記制御部が、
ユーザからの指令値を受付ける受付ステップと、
前記受付ステップにおいて受付けた指令値に基づいて、前記一対の駆動輪それぞれの回転数を算出する回転数算出ステップと、
前記筆記部を前記筆記面に接触するタイミングを算出する筆記時間算出ステップと、
前記回転数算出ステップにおいて算出された回転数に基づいて、前記一対の駆動輪それぞれを回転させる駆動輪回転ステップと、
筆記時間算出ステップにより算出された前記タイミングに、前記筆記部を前記筆記面に接触させる筆記ステップと、を実行する自動走行筆記方法。
【請求項８】
横方向に互いに間隔をあけて配置され、筆記面上をそれぞれが自律して回転する一対の駆動輪を有し、前記筆記面上を前後左右に自律走行可能とされた車体と、
前記一対の駆動輪の回転を個別に制御する制御部と、
前記車体に設けられ、筆記用具の筆記部が前記筆記面と接触するように、前記筆記用具を支持する支持部と、を備え、
前記一対の駆動輪それぞれの車軸は、互いに同軸となるように配置され、
前記支持部は、前記筆記部および前記車軸それぞれの前後方向の位置が一致するとともに、前記筆記部が前記一対の駆動輪の間の中央部に位置するように、前記筆記用具を支持する自動走行筆記装置を走行させながら筆記させる自動走行筆記プログラムであって、
前記制御部に、
ユーザからの指令値を受付ける受付機能と、
前記受付機能において受付けた指令値に基づいて、前記一対の駆動輪それぞれの回転数を算出する回転数算出機能と、
前記筆記部を前記筆記面に接触させるタイミングを算出する筆記時間算出機能と、
前記回転数算出機能において算出された回転数に基づいて、前記一対の駆動輪それぞれを回転させる駆動輪回転機能と、
筆記時間算出機能により算出された前記タイミングに、前記筆記部を前記筆記面に接触させる筆記機能と、を実現させる自動走行筆記方法。
【発明の詳細な説明】
【技術分野】
【０００１】
本発明は、自動走行筆記装置、自動走行筆記方法、および自動走行筆記プログラムに関する。
【背景技術】
【０００２】
従来、筆記用具を支持しながら、自動で筆記面上を走行し、筆記面に筆記を行う自動走行筆記装置が知られている。
例えば下記特許文献１には、スライドレールを有する支持機構を備え、筆記用具を支持しながら上下させて、筆記面上に筆記用具を接触させながら走行することにより、筆記面に筆記を行う自動走行筆記装置が開示されている。
【先行技術文献】
【特許文献】
【０００３】
【特許文献１】特開２００３−１８２２８９号公報
【発明の概要】
【発明が解決しようとする課題】
【０００４】
しかしながら、特許文献１に記載の発明では、筆記用具が、一対の駆動輪の車軸の位置に対して、前後方向の一方側にずれた位置で支持機構により支持されている。
このため、自動走行筆記装置が方向転換をする際に、筆記具と車軸との間の前後方向の距離に応じて、一対の駆動輪同士の間に位置する部分を旋回中心とした旋回運動を筆記具が行うこととなる。これにより、ユーザが所期する描画内容を指示する指令値を作成する際に、所定の補正を行う必要があり、自動走行筆記装置に描画精度を確保させることが困難であった。
【０００５】
そこで本発明は、ユーザが所期する描画内容に対する描画精度を、容易に確保することができる自動走行筆記装置を提供することを目的とする。
【課題を解決するための手段】
【０００６】
上記課題を解決するために、本発明に係る自動走行筆記装置は、横方向に互いに間隔をあけて配置され、筆記面上をそれぞれが自律して回転する一対の駆動輪を有し、筆記面上を前後左右に自律走行可能とされた車体と、一対の駆動輪の回転を個別に制御する制御部と、車体に設けられ、筆記用具の筆記部が筆記面と接触するように、筆記用具を支持する支持部と、を備え、一対の駆動輪それぞれの車軸は、互いに同軸となるように配置され、支持部は、筆記部および車軸それぞれの前後方向の位置が一致するとともに、筆記部が一対の駆動輪の間の中央部に位置するように、筆記用具を支持する。
【０００７】
支持部は、筆記用具における筆記部側の一端部を支持する第１支持部と、筆記用具における一端部と反対側の他端部が挿入される第２支持部と、を備え、車体には、第１支持部を筆記面に対して近接および離間させる支持用モータが設けられ、制御部は、支持用モータを制御してもよい。
【０００８】
また、車体に設けられ、一対の駆動輪それぞれを回転駆動する一対の走行用モータと、一対の駆動輪それぞれの車軸と同軸に配置され、かつ一対の走行用モータと連結された一対の連結ギアと、を備え、一対の走行用モータは、横方向から見た側面視で、互いに重ならない位置に配置されてもよい。
【０００９】
また、車体のうち、上面視で支持部を横方向に挟む位置には、バッテリが搭載されるバッテリ搭載部が一対設けられてもよい。
【００１０】
また、車体は、一対の駆動輪と前後方向に間隔をあけて配置されるとともに、車体の走行に従って、筆記面上を回転する従動輪を備えてもよい。
【００１１】
また、従動輪は、単一のボールキャスターであってもよい。
【００１２】
また、本発明に係る自動走行筆記方法は、横方向に互いに間隔をあけて配置され、筆記面上をそれぞれが自律して回転する一対の駆動輪を有し、筆記面上を前後左右に自律走行可能とされた車体と、一対の駆動輪の回転を個別に制御する制御部と、車体に設けられ、筆記用具の筆記部が筆記面と接触するように、筆記用具を支持する支持部と、を備え、一対の駆動輪それぞれの車軸は、互いに同軸となるように配置され、支持部は、筆記部および車軸それぞれの前後方向の位置が一致するとともに、筆記部が一対の駆動輪の間の中央部に位置するように、筆記用具を支持する自動走行筆記装置を走行させながら筆記させる自動走行筆記方法であって、制御部が、ユーザからの指令値を受付ける受付ステップと、受付ステップにおいて受付けた指令値に基づいて、一対の駆動輪それぞれの回転数を算出する回転数算出ステップと、筆記部を筆記面に接触するタイミングを算出する筆記時間算出ステップと、回転数算出ステップにおいて算出された回転数に基づいて、一対の駆動輪それぞれを回転させる駆動輪回転ステップと、筆記時間算出ステップにより算出されたタイミングに、筆記部を筆記面に接触させる筆記ステップと、を実行する。
【００１３】
また、本発明に係る自動走行筆記プログラムは、横方向に互いに間隔をあけて配置され、筆記面上をそれぞれが自律して回転する一対の駆動輪を有し、筆記面上を前後左右に自律走行可能とされた車体と、一対の駆動輪の回転を個別に制御する制御部と、車体に設けられ、筆記用具の筆記部が筆記面と接触するように、筆記用具を支持する支持部と、を備え、一対の駆動輪それぞれの車軸は、互いに同軸となるように配置され、支持部は、筆記部および車軸それぞれの前後方向の位置が一致するとともに、筆記部が一対の駆動輪の間の中央部に位置するように、筆記用具を支持する自動走行筆記装置を走行させながら筆記させる自動走行筆記プログラムであって、制御部に、ユーザからの指令値を受付ける受付機能と、前記受付機能において受付けた指令値に基づいて、一対の駆動輪それぞれの回転数を算出する回転数算出機能と、筆記部を筆記面に接触させるタイミングを算出する筆記時間算出機能と、回転数算出機能において算出された回転数に基づいて、一対の駆動輪それぞれを回転させる駆動輪回転機能と、筆記時間算出機能により算出されたタイミングに、筆記部を筆記面に接触させる筆記機能と、を実現させる。
【発明の効果】
【００１４】
本発明の自動走行筆記装置では、筆記用具を支持する支持部が、一対の駆動輪それぞれの車軸と、筆記部と、の前後方向の位置が一致するとともに、筆記部が一対の駆動輪の間の中央部に位置するように、筆記用具を支持している。このため、筆記用具の筆記部が、一対の駆動輪による自動走行筆記装置における車体の旋回中心に位置することとなる。
【００１５】
これにより、一対の駆動輪がそれぞれの回転量を異ならせて、走行中の自動走行筆記装置が方向転換をした際に、車軸と支持部との間の距離に基づいて、筆記用具が旋回運動を行うことを抑制することができる。このようにして、ユーザが所期する描画内容に対する描画精度を、自動走行筆記装置が容易に確保することができる。
【図面の簡単な説明】
【００１６】
【図１】本発明の一実施形態に係る自動走行筆記装置の後方からの斜視図である。
【図２】図１に示す自動走行筆記装置の前方からの斜視図である。
【図３】図１に示す自動走行筆記装置のブロック図である。
【図４】図２に示す自動走行筆記装置の本体カバーを外した状態の斜視図である。
【図５】図４に示す自動走行筆記装置の正面図である。
【図６】（ａ）図２に示す自動走行筆記装置の正面図、（ｂ）（ａ）におけるＢ−Ｂ線矢視断面図である。
【図７】（ａ）図６（ｂ）に示す支持部を動かす前の状態、（ｂ）支持部を上方に向けて動かした後の状態を示す図である。
【図８】それぞれの駆動輪の連結ギアと、モータの出力ギアと、の連結状態を説明する図である。
【図９】図１に示す自動走行筆記装置における制御フローを示す図である。
【発明を実施するための形態】
【００１７】
本発明の一実施形態に係る自動走行筆記装置１について、図１から図８を参照して説明する。自動走行筆記装置１とは、ユーザの指令に基づいて自律走行しながら、筆記用具Ｐを用いて、筆記面Ｓにユーザが所期する文字や図柄を描画する装置である。
図１に示すように、本実施形態に係る自動走行筆記装置１は、一対の駆動輪２０を有し、筆記面Ｓ上を前後左右に自律走行可能とされた車体１０を備えている。
以下の説明において、車体１０の走行方向を前後方向Ｘといい、筆記面Ｓと直交する平面視（以下、単に平面視という）で、前後方向Ｘと直交する方向を横方向Ｙという。また、前後方向Ｘおよび横方向Ｙそれぞれと直交する方向を、上下方向Ｚという。
【００１８】
図１および図２に示すように、車体１０は、前後方向Ｘから見た正面視で矩形状を呈する車体本体１１と、車体本体１１を前後方向Ｘの一方側から覆う車体カバー１２と、を備えている。この説明では便宜上、前後方向Ｘのうち、車体本体１１に対する車体カバー１２側を前方Ａといい、その反対側を後方Ｂという。
【００１９】
車体１０の上下方向Ｚの大きさは、横方向Ｙの大きさよりも大きくなっている。図６（ｂ）に示すように、車体カバー１２は、横方向Ｙから見た平面視において、下方に向かうに従って、前方Ａに向けて広がる台形状を呈している。なお、車体１０の大きさは、任意に変更することができる。
図１に示すように、車体本体１１の後面の下端部それぞれに、駆動輪２０が一対取り付けられている。
【００２０】
一対の駆動輪２０は、横方向Ｙに互いに間隔をあけて配置されている。一対の駆動輪２０は、筆記面Ｓ上をそれぞれが自律して回転する。一対の駆動輪２０それぞれの車軸Ｏ１は、互いに同軸となるように配置されている。また、一対の駆動輪２０それぞれの外径は、互いに同等になっている。
一対の駆動輪２０それぞれには、一対の連結ギア２１が設けられている。連結ギア２１は、駆動輪２０の車軸Ｏ１と同軸に配置されている。
【００２１】
図３から図５に示すように、車体本体１１には、制御部３０、一対の走行用モータ４０、支持部５０、支持用モータ６０、従動輪７０、バッテリ搭載部８０、及び記憶部１１０（図３参照）が設けられている。
制御部３０は、一対の駆動輪２０の回転を個別に制御する。制御部３０は各種の電子部品が実装された制御基板３１により構成されている。制御基板３１は、車体本体１１の上側に配置されている。
【００２２】
制御基板３１に実装された各種の電子部品としては、ＵＳＢポート３２、無線モジュールと一体に形成され、制御部３０の主な機能を果たすマイコン３３、電解コンデンサ３４、コネクタ３５等である。なお、マイコン３３は、無線モジュールと別体であってもよい。
ＵＳＢポート３２にはＵＳＢ９０を接続することができる。制御部３０は、記憶部１１０９に記憶された指令値や制御プログラムを用いた制御を行うことができるコンピュータである。
【００２３】
無線モジュールは、ユーザからの指令値を無線通信により外部から受信して制御部３０に入力することができる。また、制御部３０は、無線モジュールを用いることなく、ＵＳＢポート３２を用いて、有線通信によりユーザからの指令値を受信してもよい。
制御部３０は、外部から受信した指令値に基づく制御を行ってもよいし、記憶部１１０に予め記憶された指令値に基づく制御を行ってもよい。
【００２４】
制御部３０は、バッテリ搭載部８０に搭載されたバッテリからの電力を、指令値に基づいて、走行用モータ４０および支持用モータ６０に供給する。これにより、走行用モータ４０および支持用モータ６０が駆動する。
【００２５】
一対の走行用モータ４０は、車体本体１１の下側に配置されている。一対の走行用モータ４０は、一対の駆動輪２０それぞれを回転駆動する。
一対の走行用モータ４０は、駆動輪２０の連結ギア２１と各別に連結されている。具体的には、一対の走行用モータ４０それぞれの出力軸の端部に取り付けられた出力ギア４１が、駆動輪２０の連結ギア２１と各別に噛み合っている。
【００２６】
そして、図６（ｂ）に示すように、一対の走行用モータ４０は、横方向Ｙから見た側面視で、互いに重ならない位置に配置されている。すなわち、一対の走行用モータ４０は、上下方向Ｚの位置が重なるように配置されている。
このため、図８に示すように、走行用モータ４０それぞれの出力ギア４１は、上下方向Ｚの位置が互いに異なっている。
【００２７】
図１に示すように、支持部５０は、筆記用具Ｐの筆記部Ｐ１が筆記面Ｓと接触するように、筆記用具Ｐを支持する。筆記用具Ｐとしては、鉛筆、ポールペン、サインペン、万年筆、筆ペン、チョーク等、様々な筆記用具を採用することができる。
図１および図６に示すように、支持部５０は、筆記部Ｐ１および車軸Ｏ１それぞれの前後方向Ｘの位置が一致するとともに、筆記部Ｐ１が一対の駆動輪２０の間の中央部に位置するように、筆記用具Ｐを支持している。
【００２８】
図１に示すように、支持部５０は、筆記用具Ｐにおける筆記部Ｐ１側の下端部（一端部）を支持する第１支持部５１と、筆記用具Ｐにおける一端部と反対側の上端部（他端部）が挿入される第２支持部５２と、を備えている。
【００２９】
第１支持部５１は、車体本体１１の下端部に配置されている。
図６（ｂ）に示すように、第１支持部５１は、車体１０の内部から前後方向Ｘに延び、車体１０の後方Ｂに向けて突出する板状に構成されている。
第１支持部５１は、表裏面が上下方向Ｚを向いている。第１支持部５１には、上下方向Ｚに貫通する貫通孔５１Ｂが形成されている。貫通孔５１Ｂの内径は、使用される筆記用具Ｐの筆記部Ｐ１周辺の外径よりも大きくなっている。
【００３０】
ここで、筆記用具Ｐの筆記部Ｐ１周辺の内径が、下方に向かうに従って縮径している場合には、第１支持部５１の貫通孔５１Ｂの周縁部に、筆記用具Ｐの筆記部Ｐ１が載置された状態となる。これにより、筆記用具Ｐが上下方向Ｚに保持されている。
【００３１】
第２支持部５２は、車体本体１１の上端部に配置されている。第２支持部５２は車体本体１１の上端縁と一体に形成され、後方Ｂに向けて突出している。第２支持部５２には、上下方向Ｚに貫通し、筆記用具Ｐが挿入される挿入孔５２Ａが形成されている。
挿入孔５２Ａの内径は、使用される筆記用具Ｐの外径よりも少し大きくなっている。このため、筆記用具Ｐの上端部は、第２支持部５２に上下方向Ｚに拘束することなく、筆記用具Ｐを支持している。
第２支持部５２の挿入孔５２Ａの内径は、第１支持部５１の貫通孔５１Ｂの内径よりも大きくなっている。
【００３２】
支持用モータ６０は第１支持部５１を、筆記面Ｓに対して近接および離間させる。支持用モータ６０は、車体１０の内部のうち、一対の走行用モータ４０よりも前方Ａに位置する部分に配置されている。支持用モータ６０は、車体１０内部の底部に載置されている。
支持用モータ６０は、第１支持部５１を、支持用モータ６０と接続された接続部回りに、上方又は下方に向けて回動させるための動力を提供する。
【００３３】
図７に示すように、支持用モータ６０が、第１支持部５１を上方に向けて回動させて、第１支持部５１の筆記部Ｐ１が載置された部分を、上方に向けて変位させる。これにより、第１支持部５１と筆記面Ｓ、すなわち、筆記部Ｐ１と筆記面Ｓとの間の距離が変更される。そして制御部３０は、支持用モータ６０を制御する。
【００３４】
従動輪７０は、一対の駆動輪２０と前後方向Ｘに間隔をあけて配置されている。従動輪７０は、車体１０の走行に従って、筆記面Ｓ上を回転する。
本実施形態では、従動輪７０として、単一のボールキャスターが採用されている。従動輪７０は、車体本体１１の底部に取り付けられている。従動輪７０は車体本体１１の底部のうち、横方向Ｙの中央部に配置されている。
【００３５】
バッテリ搭載部８０には、バッテリが搭載される。バッテリ搭載部８０は、車体１０における車体本体１１の後面のうち、上面視で支持部５０を横方向Ｙに挟む位置に一対配置されている。
図示の例では、バッテリとして２本の単三形の乾電池が採用される。バッテリ搭載部８０には、単三形の乾電池であるバッテリが、上下方向Ｚに沿って配置される。
なお、バッテリの種類や大きさは、自動走行筆記装置１のサイズに合わせて任意に変更することができる。
【００３６】
図３に示すように、記憶部１１０には、制御部３０を制御するための制御プログラム、入力された指令値、および入力された指令値から、走行用モータ４０および支持用モータ６０の回転数を算出する計算プログラムが記憶される。記憶部１１０は、例えば、ＨＤＤ、ＳＳＤ、フラッシュメモリなど各種の記憶媒体により実現される。
【００３７】
次に、制御部３０による制御手順である自動走行筆記方法について図９を用いて説明する。図９は、自動走行筆記装置１における制御フローを示す図である。
図９に示すように、本実施形態における自動走行筆記方法では、制御部３０が、受付ステップ（Ｓ５０１）と、回転数算出ステップ（Ｓ５０２）と、筆記時間算出ステップ（Ｓ５０３）と、駆動輪回転ステップ（Ｓ５０４）と、筆記ステップ（Ｓ５０５）と、を実行する。
自動走行筆記方法は、記憶部１１０に記憶された制御プログラムを、制御部３０が実行することで行うことができる。なお、下記に示す自動走行筆記方法はあくまで一例であり、他の方法により自動走行筆記を行ってもよい。
【００３８】
受付ステップでは、ユーザからの指令値を制御部３０が受付ける。
回転数算出ステップでは、受付ステップにおいて受付けた指令値に基づいて、一対の駆動輪２０それぞれの回転数を算出する。
筆記時間算出ステップでは、筆記部Ｐ１を筆記面Ｓに接触するタイミングを算出する。
【００３９】
駆動輪回転ステップでは、回転数算出ステップにおいて算出された回転数に基づいて、一対の駆動輪２０それぞれを回転させる。
筆記ステップでは、筆記時間算出ステップにより算出されたタイミングに、筆記部Ｐ１を筆記面Ｓに接触、又は筆記部Ｐ１を筆記面Ｓから離隔させる。これにより、筆記面Ｓに指令値に基づく筆記が行われる。
【００４０】
次に、車体１０の走行の態様について説明する。
まず、一対の駆動輪２０が同じ回転数で回転する場合には、自動走行筆記装置１は前方Ａ又は後方Ｂに向けて真っすぐ走行することができる。
次に、一対の駆動輪２０のうち、例えば右側の駆動輪２０の回転数を、左側の駆動輪２０の回転数よりも速くすることで、車体１０を前方Ａ又は後方Ｂに向けて走行させながら、次第に左側に向けて湾曲するように走行させることができる。
同様に、左側の駆動輪２０の回転数を、右側の駆動輪２０の回転数よりも速くすることで、車体１０を前方Ａ又は後方Ｂに向けて走行させながら、次第に右側に向けて湾曲するように走行させることができる。
【００４１】
また、停止した状態で、一対の駆動輪２０を互いに逆方向に回転させることにより、その場で前後左右の任意の方向に向けて方向転換を行うことができる。
そして、このように車体１０を様々な方向に向けて走行させながら、筆記用具Ｐの筆記部Ｐ１を筆記面Ｓに接触させることで、筆記面Ｓに文字や図形を描画することができる。
【００４２】
次に、車体１０の移動量については、モータの回転に応じて回転する車軸Ｏ１の回転数と、車輪の外径と、から算出される車体１０の走行距離により、相対位置を管理してもよい。
また、車体１０に例えばＧＰＳ等の測位システムを搭載して、絶対座標を管理してもよい。
また例えば、筆記面Ｓ上に座標原点を予め設定し、外部から車体１０の位置を検出して車体の位置座標を特定してもよい。車体１０の位置検出方法としては、例えば車体１０を撮像して画像解析を行ってもよい。また、上述した位置管理の各手法を組み合わせて、車体１０の位置を評価してもよい。
また、スマートフォン等のユーザが使用する携帯端末により、例えば車体１０の位置情報を取得し、指令値を無線モジュールに送信するような遠隔操作を行ってもよい。
【００４３】
以上説明したように、本実施形態に係る自動走行筆記装置１によれば、筆記用具Ｐを支持する支持部５０が、一対の駆動輪２０それぞれの車軸Ｏ１と、筆記部Ｐ１と、の前後方向Ｘの位置が一致するとともに、筆記部Ｐ１が一対の駆動輪２０の間の中央部に位置するように、筆記用具Ｐを支持している。このため、筆記用具Ｐの筆記部Ｐ１が、一対の駆動輪２０による自動走行筆記装置１における車体１０の旋回中心に位置することとなる。
【００４４】
これにより、一対の駆動輪２０がそれぞれの回転量を異ならせて、走行中の自動走行筆記装置１が方向転換をした際に、車軸Ｏ１と支持部５０との間の距離に基づいて、筆記用具Ｐが旋回運動を行うことを抑制することができる。
このようにして、ユーザが所期する描画内容に対する描画精度を、自動走行筆記装置１が容易に確保することができる。
【００４５】
また、車体１０には、第１支持部５１と筆記面Ｓとの間の距離を変更可能な支持用モータ６０が設けられ、制御部３０が、筆記部Ｐ１を筆記面Ｓから離間させるように、支持用モータ６０を制御する。
このため、ユーザの指令値に合わせて、筆記用具Ｐの筆記部Ｐ１を、筆記面Ｓに接触させたり、筆記面Ｓから離間させたりすることで、描画精度を向上することができる。
【００４６】
また、第２支持部５２において、筆記用具Ｐが上下方向Ｚに拘束されることなく支持されている。このため、筆記用具Ｐの筆記部Ｐ１を筆記面Ｓに押し付けるような構造と比較して、筆記部Ｐ１の筆記面Ｓへの筆圧を小さく抑えることができる。
これにより、筆記部Ｐ１が筆記面Ｓ上に描画しながら車体１０が走行している最中に、筆記部Ｐ１が筆記面Ｓに接触していることから生じる筆記抵抗を小さくし、駆動輪２０がスリップするのを抑えることができる。また、筆記用具Ｐを全方向に保持するような構成と比較して、支持部５０の構造をシンプルにすることができる。
【００４７】
また、一対の連結ギア２１と連結される一対の走行用モータ４０が、横方向Ｙから見た側面視で、互いに重ならない位置に配置されている。このため、一対の走行用モータ４０同士の横方向Ｙの位置を互いに近接させて、上下方向Ｚの位置が互いに重なるように配置することができる。これにより、一対の駆動輪２０の横方向Ｙの間隔を短くすることが可能になり、車体１０をコンパクトな構成とすることができる。
【００４８】
また、車体１０のうち、上面視で前記支持部５０を横方向Ｙに挟む位置に、バッテリが搭載されるバッテリ搭載部８０が一対設けられている。これにより、例えば車体１０がコンパクトに構成されている場合等に、支持部５０に支持された筆記用具Ｐの周囲の横方向Ｙにおける重量バランスの偏りを抑え、車体１０が走行した際に、車体１０の重量バランスの変化に起因して描画精度が悪くなるのを抑制することができる。
【００４９】
また、一対の駆動輪２０と前後方向Ｘに間隔をあけて配置されるとともに、車体１０の走行に従って、筆記面Ｓ上を回転する従動輪７０を備えている。このため、車体１０全体の走行を滑らかにして、駆動輪２０の制御による車体１０の走行精度を確保することができる。
【００５０】
また、従動輪７０が、単一のボールキャスターであるので、従動輪７０の車体１０の走行に対する追従性および応答性を確保することができる。このため、駆動輪２０の制御による車体１０の走行精度をより一層効果的に顕著に確保することができる。
【００５１】
なお、前述の実施形態は、本発明の代表的な実施形態を単に例示したものにすぎない。したがって、本発明の趣旨を逸脱しない範囲において、前述の実施形態に対して種々の変形を行ってもよい。
【００５２】
例えば、上記実施形態においては、車体１０に支持用モータ６０が設けられた構成を示したが、このような態様に限られない。車体１０には支持用モータ６０が設けられなくてもよい。
また、上記実施形態においては、支持部５０が、第１支持部５１と第２支持部５２とを備えている構成を示したが、このような態様に限られない。一つの支持部５０により、筆記用具Ｐを支持してもよい。
【００５３】
また、上記実施形態においては、一対の走行用モータ４０が、横方向Ｙから見た側面視で、互いに重ならない位置に配置されている構成を示したが、このような態様に限られない。
一対の走行用モータ４０は、側面視で互いに重なるように配置されてもよい。
【００５４】
また、上記実施形態においては、車体１０のうち、上面視で支持部５０を横方向Ｙに挟む位置に、バッテリが搭載されるバッテリ搭載部８０が一対設けられている構成を示したが、このような態様に限られない。車体１０のうち、バッテリ搭載部８０を配置する位置は、任意に変更することができる。また、バッテリ搭載部８０は、必ずしも一対設ける必要は無く、一つだけ設けてもよい。
【００５５】
また、上記実施形態においては、車体１０が、車体１０の走行に従って、筆記面Ｓ上を回転する従動輪７０を備えている構成を示したが、このような態様に限られない。車体１０が従動輪７０を備えていなくてもよい。
また、制御部３０が、車体１０に設けられている構成を示したが、このような態様に限られない。制御部３０を車体１０とは別に設けて、遠隔制御により自動走行筆記装置１を制御してもよい。
【００５６】
また、上記実施形態においては、従動輪７０が単一のボールキャスターである構成を示したが、このような態様に限られない。例えば従動輪７０として、横方向Ｙに互いに間隔をあけて配置された２つの車輪を採用してもよい。
【００５７】
また、前述した変形例に限られず、これらの変形例を選択して適宜組み合わせてもよいし、その他の変形を施してもよい。
すなわち、本開示の実施形態を諸図面や実施例に基づき説明してきたが、当業者であれば本開示に基づき種々の変形や修正を行うことが容易であることに注意されたい。従って、これらの変形や修正は本開示の範囲に含まれることに留意されたい。例えば、各手段、各ステップ等に含まれる機能等は論理的に矛盾しないように再配置可能であり、複数の手段やステップ等を１つに組み合わせたり、順番を変更したり、或いは分割したりすることが可能である。また、各実施形態に示す構成を適宜組み合わせることとしてもよい。
【符号の説明】
【００５８】
１  自動走行筆記装置
１０  車体
２０  駆動輪
３０  制御部
４０  走行用モータ
５０  支持部
５１  第１支持部
５２  第２支持部
６０  支持用モータ
７０  従動輪
８０  バッテリ搭載部
Ｏ１  車軸
【図１】
2020110938.tif 000003
【図２】
2020110938.tif 000004
【図３】
2020110938.tif 000005
【図４】
2020110938.tif 000006
【図５】
2020110938.tif 000007
【図６】
2020110938.tif 000008
【図７】
2020110938.tif 000009
【図８】
2020110938.tif 000010
【図９】
2020110938.tif 000011